(57)【特許請求の範囲】
【請求項１】
調整自在の光導波管格子装置であって、
複数の離間された屈折率の摂動を含む光学的格子を具備する所定の長さの光導波管、及び
該導波管と熱的に接触して該光学的格子に沿って延長する複層の電気抵抗膜であって、該複層の膜が、長さプロファイルに対してそれぞれ異なり該格子の長さ方向に沿って変化する抵抗値を有し、個別に制御可能な電力供給源に接続される少なくとも２以上の層からなる複層の電気抵抗膜
からなり、該格子に沿う熱／長さのプロファイルが、該格子の長さ方向に沿って連続する摂動の間で光路長を変えるように調整され得る調整自在の光導波管格子装置。
【請求項２】
光学的格子がブラッグ格子である、請求項１に記載の調整自在の格子装置。
【請求項３】
光学的格子が長周期性の格子である、請求項１に記載の調整自在の格子装置。
【請求項４】
前記の複数の抵抗膜の第１のものが、格子に沿って距離に対して逆比例にて変化する抵抗プロファイルをもつ、請求項１に記載の調整自在の格子装置。
【請求項５】
前記の複数の抵抗膜の第２のものが、第１の膜と逆の方向で距離に関して逆に変わる抵抗プロファイルをもつ、請求項４に記載の調整自在の格子装置。
【請求項６】
前記の抵抗膜の第３のものが、前記の格子に沿うポイントからの距離に逆２乗にて変化する抵抗プロファイルをもつ、請求項５に記載の調整自在の格子装置。
【請求項７】
長さに関して一定の抵抗プロファイルをもつ抵抗膜を更に含んでいる、請求項６に記載の調整自在の格子装置。
【請求項８】
複数の抵抗膜が基準セットのプロファイルを形作る抵抗／長さのプロファイルをもち、各々膜に印加された電力を制御すると、格子に沿う任意の熱／長さのプロファイルに関して重ねられた概算値を導く、請求項１に記載の調整自在の格子装置。
【請求項９】
調整自在の光導波路格子装置であって、
複数の離間された屈折率の摂動からなる光学的格子を具備する、ある長さの光導波管、及び
該導波管に熱的に接触する抵抗膜であって、該膜は、該長さの方向において、第２の抵抗の一対の領域間に設けられた第１の抵抗の領域からなり、該第１の抵抗は該第２の抵抗よりも高く、前記膜は電力が制御自在な電源に接続され、同調自在の位相シフトが前記一対の領域間の導波管に誘導できるような抵抗膜
からなる光導波路格子装置。
【請求項１０】
調整自在の光導波路格子装置であって、
第１の周期間隔で離間されている複数の屈折率の摂動からなる光学的格子を具備する、ある長さの光導波管、及び
該導波管と熱的に接触する抵抗膜であって、該第１の周期間隔より大きい第２の周期間隔で該膜に沿って該長さの方向に離間されている複数の比較的高い抵抗の領域を具備する比較的低い抵抗の膜からなる抵抗膜
からなり、
前記抵抗膜は電力が制御自在な電源に接続され、該抵抗膜が、周期的な熱分布であってその周期的変化が該格子の離間距離より大きいような熱分布を発生させる光導波路格子装置。
【発明の詳細な説明】
【０００１】
【関連発明のクロス・レファレンス】
本出願は、“調整自在のチャープを有する光格子デバイス”という名称のもとで、１９９８年１０月３０日付けで、Ｅｇｇｌｅｔｏｎなどが提出した米国特許出願、第０９／１８３，０４８号の一部継続出願である。
【０００２】
【産業上の利用分野】
本発明は、光導波管格子装置、特に、連続する格子要素間の光路長（以降“光学的離間距離”と呼ぶ）が距離と時間に関して調整できる、導波管格子装置に関する。
【０００３】
【従来技術】
調整自在の光学的離間プロファイルを有する光導波管格子は、光通信システムにおいて貴重な構成要素になる可能性を秘めている。導波管のブラッグ格子は、波長従属性の分散補償を呈することができる。ブラッグ格子の光学的離間距離が距離と時間とに関して調整できると、格子は、必要な分散補償のスペクトル・プロファイルの変動に動的に対応できる。長周期性の導波管の格子は、波長従属性の損失を呈する。長周期性の格子の離間距離が調整できると、格子は必要な損失のプロファイルの変動に動的に対応できる。このような調整自在の格子は、動的分散と振幅補償とが必要になると思われる広帯域のＷＤＭシステムにとって特に重要である。
【０００４】
【発明が解決しようとする課題】
光通信システムは、本質的に、情報搬送用の光信号源と、光信号を搬送する、ある長さの光導波管と、光信号を検出し、それらが搬送する情報を復調するレシーバとを備えている。光増幅器は、一定の間隔で導波管に沿って一般的に位置している。追加／低減ノードは、信号チャンネルを追加又は低減するために、適切な位置に設けてある。従来のシステムは、高純度の石英光ファイバ導波管とエルビウム・ドーピング光ファイバ増幅器（ＥＤＦＡ）とに一般的にに基づいている。このようなシステムは、異なる波長の信号要素の伝送時間と送信電力とに僅かな違いがある。例えば、長い波長の構成要素は、短い波長の構成要素より少し長い遅延を導きやすい（色彩的な分散）。また、ＥＤＦＡの増幅ピークからはなれる波長成分は、僅かのパワーで送られ。これらの現象のために、送信パルスが歪められ、帯域幅又は送信距離あるいその両方が制限されることになる。
【０００５】
高速ＷＤＭシステムの特性は、分散と波長従属性パワーの変動を補償するシステムの能力に依存する。更に、高速システムでは、システム内の動的な変動により、時間の関数として必要な分散とパワーの補償のスペクトル・プロファイルが変わるので、静的装置に必要な補償を呈することが非常に難しくなる。
【０００６】
通常のブラッグ格子は、導波管の長さ方向に沿って実質的に等しく離間された屈折率に関する複数の摂動を含めて、光ファイバのように、ある長さの光導波管を備えている。これらの摂動では、実効屈折率、すなわち、λ＝２ｎeffΛの連続摂動数の倍数の間の離間距離Λの２倍に等しい波長λの光を選択的に反射する。ここで、λは真空波長であり、ｎeffは伝送モードの実効屈折率である。残りの波長は、実質的な妨げなしに通過する。連続する摂動間の幾何学的離間距離が格子に対する距離の関数として変動する（格子が“チャープされる”）場合、異なる波長が、それらが反射される前に、格子に対して異なる距離で進む。このようにチャープされた格子は、異なる波長に異なる伝送遅延を呈する。それらの幾何学的離間距離は、分散信号の成分を補償するために選定できる。すなわち、離間距離は、全てのスペクトル成分が同じ総遅延を受けるように選定できる（Ｆ．Ｏｕｅｌｌｅｔｔｅの“光導波管に線形的なチャープ・ブラッグ・フィルタを用いる分散解消法”１２オプティック・レターズ、８４７−８４９（１９８７）を参照）。
【０００７】
代表的な長周期性の格子は、光学的パワーを２連携伝送モード間で非常に小さな戻り反射で結合する。それは、ある長さの光導波管を具備し、複数の屈折率の摂動が、送信光の波長λと比べると長い周期間隔Λで導波管に沿って離間されている。従来のブラッグ格子と対照的に、長周期性の格子は、幾何学的な周期間隔Λ’を用いており、それは送信波長より一般的に少なくとも１０倍長い、すなわち、Λ’≧１０λである。一般的に、Λ’は１５〜１５００マイクロメーターの範囲であり、摂動の幅は１／５Λ’〜４／５Λ’の範囲である。あるアプリケーションでは、チャープ格子のように、周期間隔Λ’は、格子の長さ方向に沿って変動する。長周期性の格子は、光通信システムの異なる波長において、増幅器の利得を等しくするさいに特に有用である。例えば、１９９５年７月４日にＡ．Ｍ．Ｖｅｎｇｓａｒｋａｒに公布され、ここで引例を用いて包含されている、た米国特許第５，４３０，８１７号を参照。
【０００８】
分散パワー・スペクトル補償装置としての導波管格子の欠点は、それらが恒久性で帯域が狭いことにある。連続する摂動間の離間距離は、製造時に固定されるので、格子の補償特性が固定されることになる。高速システムでは、しかし、動的な補償が要求される。
【０００９】
ある動的な補償を可能にする導波管格子を提供する方式は、格子の長さ方向に沿って複数の電気ヒーターを設けることである。各々ヒーターは、導波管の素材を加熱して、ヒーターに特有の格子の部分を調整するように独自に制御される。このような加熱は、素材を熱的に膨張して、摂動間の幾何学的離間距離を変えると共に、屈折率を変えてしまう。従って、摂動間の光路長も変わる。この方式の難点は、多くの小型ヒーターと多くの微細な接続部と制御部品を必要とすることにある。シーケンスに沿う任意の１つのヒーター接続部の異常が、重大な事態を招くおそれがある。
【００１０】
別の方式は、“調整自在のチャープを有する光格子装置”という名称で、１９９８年１０月３０日付けで、Ｂ．Ｊ．Ｅｇｇｌｅｔｏｎなどが提出し、ここで引例を用いて包含されている、同時係属出願、Ｓ．Ｎ．０９／１８３，０４８号に記載されている。ここで、格子は、線形に電気抵抗を変える膜を備えている。膜に電流を印加すると、格子の長さ方向に沿って、線形に変動する熱が発生する。第２の均一な抵抗膜は、生成した平均的な熱を変えるように別々に制御できる。この方式は、必要な補償が既知のスペクトル傾斜で表される単純なシステムで巧妙に作動する。しかし、発熱が距離に関して単調なので、装置は、必要な補償のスペクトル傾斜も変動するシステムに相応して巧妙に調整できない。そこで、連続する格子要素間の光路長が距離と時間とに関して調整できる、改善された光導波管格子装置が必要性になる。
【００１１】
【課題を解決するための手段】
本発明によれば、調整自在の光学的離間距離プロファイルを有する光導波管格子は、１つ又は複数の抵抗膜コーティングと熱的に接触する導波管格子を備えている。コーティングは格子の長さ方向に沿って延長し、その局部的な抵抗は格子の長さ方向に沿って変わる。ある実施例では、複数の重複するコーティングは、各々の抵抗のバラツキが異なるように選択されるので、多種多様な発熱プロファイルがコーティングを独自に制御することにより、その影響を受けることになる。異なる発熱プロファイルは、格子の長さ方向に沿って格子の幾何学的離間距離と局部的な屈折率を順に比例して変えるので、希望した調整自在の光学的離間プロファイルを呈することになる。他の実施例では、抵抗膜を用いて、熱変動を急激に又は定期的に変えている。
【００１２】
【実施例】
以下、本発明は実施態様につき、図面を参照して説明する。
なお、図面は、本発明の概念を図解することを意図するものであり、寸法は必ずしも正確ではない。
この開示の内容は４つに分割して説明される。第Ｉ部では、発熱プロファイルの制御を可能にする多層加熱膜を有する導波管格子装置について述べる。第ＩＩ部では、同調自在の位相シフトを呈するために、急激に変化する加熱膜を有する装置について述べる。第ＩＩＩ部では、同調自在の超構造格子を形作るための加熱膜を有する装置について述べる。第ＩＶ部では、本発明に基づく格子に望ましいアプリケーションについて述べる。
【００１３】
Ｉ．  発熱プロファイルの制御を可能にする多層加熱膜を有する格子装置
図面を参照すると、図１Ａは、格子のＸ方向に沿って時間と空間の両方に関して調整自在の加熱プロファイルを有する、典型的な導波管格子装置７を概略的に示す長さ方向の断面図である。装置７は、光学的格子１１を含んでいるコア１０とクラッディング９を具備する、ある長さの光導波管８（ここでは、光ファイバ）を備えている。格子は、あるシーケンスの屈折率の摂動１２を備えている。格子１１は、複数の層の抵抗膜１４Ａ、１４Ｂ、１４Ｃ、１４Ｄを具備する多層ヒーター１３に熱的に結合している。抵抗膜は、絶縁層１５Ａ、１５Ｂ、１５Ｃによって分離されると共に、格子１１の長さ方向に沿って各々膜を経由する電流を独自に送る各々電源（図示せず）に接続している。
【００１４】
図１Ｂは、線Ａ−Ａ’に沿う軸方向の断面を示す。各々抵抗膜１４Ａ、１４Ｂ、１４Ｃ、１４Ｄは、格子に沿う距離Ｘの関数である抵抗を特徴にしている。好都合に、各々膜の抵抗がＸの異なる関数として変わるので、Ｘに沿う多種多様な加熱プロファイルが、各々膜に印加する電流を独自に制御すると生成できる。例えば、膜１４Ａでは定抵抗（例えば、一定の厚み）になり、膜１４Ｂでは抵抗を増加（線形に厚みを減少）できて、膜１４Ｃでは抵抗を減少（線形に厚みを増加）できて、膜１４Ｄでは格子の中心ａから距離が離れるにつれて、２次関数的に減少する抵抗（例えば、厚みが１／（Ｘ−ａ）2）となる。図２は、Ｘの関数として各々膜の局部的な抵抗のバラツキをグラフで示している。
【００１５】
この構成で、生成した局部的な熱は、４つの膜から生成した局部熱のほぼ合計になる。格子摂動間の光路長の膨張は、局部的な温度にほぼ比例する。４つの膜が、一定であると共に、±Ｘに比例し（Ｘ−ａ）2に比例する、発熱プロファイルを呈するので、多種多様な光学的離間プロファイルは、異なる膜に異なる相対レベルのパワーを送ると概算できる。
【００１６】
更に全体的に、好ましい概算とするために、ファイバのコアの温度は、温度プロファイルの線形的な組合せとして、次のように記すことができる。
Ｔ（ｘ）＝ΣＴn（ｘ）
ここで、Ｔn（ｘ）はｎ番目の膜が導く温度プロファイルである。特に薄い膜のケースでは、（△π（ｘ）＜＜ｄ）．．．となる。ここで、ｄはファイバの半径であり、局部的な温度は次の式から表される。
△Ｔn（ｘ）＝１／ｔn（ｘ）
【００１７】
最も普遍的なケースにおいて、任意の温度プロファイルは、直交する関数の合計を用いて表現できる。適切な基準のセットは、任意の数学的なハンドブックから見い出すことができる。一例として、ティラー級数の展開について考えてみる。ここで、それは、多項式に関連して単純に展開している。すなわち、
Ｔ（ｘ） ＝ Σ ｆ’（０）ｘn／ｎ！
図１Ａと１Ｂのケースでは、一連の膜は次のようになると思われる。（ａ）ＤＣオフセットを呈するために、均一な膜、（ｂ）能動性のチャープを呈するために、＋１／ｘのバラツキをもつ、先細り状の膜、（ｃ）受動性のチャープを呈するために、−１／ｘの厚みのバラツキをもつ先細り状の膜、（ｄ）１／（Ｘ−ａ）2の厚みのバラツキをもつ膜。この概念は、（ｅ）１／ｘ3などに拡張して適用できる。
【００１８】
Ｘに沿って制御された厚みの抵抗膜は、種々の状態で製作できる。ファイバ導波管（図１Ａと１Ｂに示す）の周辺に延長する膜は、厚みが格子の長さ方向に沿って変動するコーティングとするために、槽から固定した又は可変自在の割合で引き出しながら電気メッキできる。好ましい抵抗膜は銀である。ファイバ上の可変自在の厚みの銀の膜についての電気メッキは、前述のＥｇｇｌｅｔｏｎなどの出願Ｓ．Ｎ．０９／１８３、０４８に詳細に記してある。
【００１９】
抵抗膜は、ファイバ（又は平らな導波管）の周辺を延長する必要がない。各々の膜は、金属源からコーティング金属を受ける位置にファイバを設けて、ファイバと源との間にシャドー・マスクを移動しながらファイバ上に金属を付着し、ファイバ上に付着した金属のパターンを呈することによって、格子に沿って制御された可変自在の厚みとして製作できる。シャドー・マスクを用いてファイバに可変自在の厚みの金属膜をコーティングすることについての詳細は、“可変自在の厚みの金属コーティングを有する光ファイバ装置を製造する方法”という名称で、１９９９年２月１８日にＢ．Ｊ．Ｅｇｇｌｅｔｏｎなどが提出し、ここで引例を用いて包含される、同時係属米国特許出願Ｓ．Ｎ．０９／２５２、７０４に記してある。
【００２０】
図３Ａは、図１の装置を単純にした形状を示していて、一定の抵抗膜１４Ａと２次的な抵抗膜１４Ｄが省略されている。膜１４Ｂと１４Ｃは、各々、Ｘと−Ｘとに比例する抵抗プロファイルを呈している。
【００２１】
図３Ｂは、図３Ａの装置の斜視図であり、独自の電源３１Ａと３１Ｂを相互に接続するリード線３０を示している。この装置は、チャープ離間距離が正の傾斜の分散補償と負の傾斜の分散補償の両方に対して導入できるので、分散補償では特に有用である。
【００２２】
図４Ａ〜４Ｄは、図３Ａと３Ｂの装置から実現できる温度プロファイルを示すグラフである。図４Ａは、膜１４Ｂに対して３つの異なるレベルのパワーとして格子の中心からの距離の関数として、温度の変化を示す。図４Ｂは、膜１４Ｃに対して３つの異なるレベルのパワーとして温度プロファイルを示す。図４Ｃは、膜１４Ｂと１４Ｃの両者に対して調節したレベルのパワーから実現できる３つのプロファイルを示す。図４Ｄは、両方の膜に対して調節したレベルのパワーから実現できる３つの更なるプロファイルを示す。
【００２３】
ＩＩ．  同調自在の位相シフト格子装置
図５は、格子５２の内部領域に急激に高くなる抵抗領域５４をもつ加熱膜５３と格子５２を含んでいる、ある長さのファイバ５１を具備する、同調自在の位相シフト・ファイバブラッグ格子５０を示す。
【００２４】
図５の装置は、ｅ−ビーム蒸発方式を使用して、格子５２の長さ方向に沿って第１の薄い均一な膜（通常は４００オングストロームの厚み）を付着すると形成できる。僅かな大きさのマスク（通常は３ｍｍの長さ）が、格子と蒸発器との間の領域５４上に配置できる。より厚い第２の膜（通常は１マイクロメーター）を、マスクの片側で第１の膜と接触しながら付着できる。そこで、薄い（大きな抵抗の）領域５４の両側に、２つの厚い（小さな抵抗の）部分をもつ複合の膜５３が形成される。
【００２５】
作動時に、複合膜に流れる電流が、格子の残りの部分より更に高い温度に薄い内部領域５４を加熱する。そこで、格子の２つの部分の間に位相シフトが生じる。位相シフトの大きさは、温度変化、従って、印加電圧の関数となる。位相シフトは、反射スペクトルの狭い共振状態で現れる。
【００２６】
代替実施例では、２つの薄い（大きな抵抗の）部分を、厚い（小さな抵抗の）領域の両側に設けることができる。
【００２７】
図６Ａは、位相同調のない一般的な従来のブラッグ格子の反射スペクトルである。広い反射帯域の内部に大きな共振が存在しない。
【００２８】
図６Ｂは、図５に基づく一般的なブラッグ格子の反射スペクトルである。それは、位相シフト誘導共振部６０を含んでいる。共振部６０の反射とスペクトル位置は、加熱膜５３に印加する電圧から制御できる。このような特質は、ファイバ・レーザ、ファイバ感知素子、濾過装置において重要なアプリケーションとなる。
【００２９】
ＩＩＩ．  同調自在の超構造格子
超構造格子は、格子が、周期又は屈折率のようなパラメータにおいて更なる周期的なバラツキを受けるものである。バラツキは、格子の幾何学的離間距離と比べると、大きな周期になる。従来の超構造格子は同調自在でない。
【００３０】
図７は、周期的なシーケンスの高抵抗領域７４を有する加熱膜７３と格子７２を含んでいる、ある長さのファイバ７１を具備する同調自在の超構造のファイバ格子７０を備えている。
【００３１】
図７の装置は、格子の長さ方向に沿って第１の薄い均一の抵抗膜を付着すると製作できる。第２の膜が、次に、周期的な大きさをもつマスクを介して付着される。最終的な複合膜の厚みは、格子の長さ方向に沿って周期的に変動する。代表的な装置は、３３％のデューティ・サイクルをもつ、１．５ｍｍの周期になる。膜の厚みの比率は、５０：１になる。
【００３２】
作動時に、抵抗膜に電流を印加すると、格子の幾何学的離間距離より遥かに大きい周期的な熱分布が生じる。この周期的な構造の超格子がサイドバンド・ローブとなり、その強度は、格子の相対的に加熱された部分と非加熱部分との間の熱的な傾斜に依存する。ローブのスペクトル位置は加熱膜の周期に依存する。
【００３３】
図８Ａ、８Ｂ、８Ｃは、このような同調自在の超構造格子の反射スペクトルを示すグラフである。図８Ａは、膜に電圧が印加されていないスペクトルを示す。図８Ｂは、５ボルトが印加されているスペクトルを示す。図８Ｃは、１０ボルトの効果を示す。図から分かるように、サイド・ローブの反射は、印加電圧を変えると動的に調整できる。このような装置は、等しく離間されたサイドバンドとするために同調できる反射を可能にするＷＤＭ光波システムにおいて効果的である。
【００３４】
ＩＶ．  同調自在の格子の好ましいアプリケーション
ここに開示する同調自在の格子装置に関して好ましいネットワーク・アプリケーションは、通路依存性の大きさと位相の歪みに対して信号を調整する。図９は、ＡＤＭ−２の低減出力のレシーバ９２を含めて、ＡＤＭ−１とＡＤＭ−２を意図した一対の追加／低減モジュールを有するネットワーク９０の部分の略図である。同調自在の格子装置９３は、理由を説明するために、レシーバ９２とＡＤＭ−２の低減出力との間に効果的に設けてある。
【００３５】
追加／低減モジュールを含んでいるネットワークにおいて、波長チャンネルは、異なる通路を経由してレシーバに達すると思われる。例えば、ＡＤＭ−１で追加され、ＡＤＭ−２の低減ポートで受信されたチャンネルを考えてみる。我々は、これを通路１とする。通路１に生じる大きさの歪みと位相歪みは、実質的に、その追加構成のＡＤＭ−１と、その低減構成のＡＤＭ−２の歪みである。しかし、同じ波長チャンネルも第２の通路、すなわち、通路２を経由してレシーバに達すると考えられ、その歪みは、その全体的な構成におけるＡＤＭ−１と、その低減構成のＡＤＭ−２との歪みの合計になる。これらの２つの別個の通路の歪みは全体的に異なり、装置７は、各々のケースの信号の最適な復帰を可能にするために、各々の状態に相応して別々に同調できる。
【００３６】
ここに開示する同調自在の格子装置の第２の好ましいアプリケーションでは、分散と分散傾斜とを補償する。分散傾斜は、分散の波長依存性を意味する。分散傾斜は、全てのファイバで固有のものであり、システムの性能を制限することになる。特に、多重波長システム（ＷＤＭ）では、異なるチャンネルが、異なる量の分散をとるので、異なる量の分散補償を必要とする。これは、分散を定める特殊なファイバ、又は、ある分散傾斜をもつ光学的組成のファイバあるいその両方を用いて、一般的に行われている。これらの低いビットレートでも、チャンネル内部の分散は、非常に好ましい近似コンスタントになる。
【００３７】
非常に高いビットレート（＞４０Ｇｂｉｔ／ｓ）では、分散傾斜は、チャンネルの帯域幅の内部に現れる。これは、チャンネルが十分な帯域幅を占めるので、分散が単一チャンネルの狭い波長範囲でも変動するためである。この関係の分散傾斜は、パルス歪み、特定のパルスの非対称性、最終的なシンボル間の干渉において現れる。従って、単一チャンネルに適した分散傾斜を呈する分散補償装置も必要とされる。分散と分散傾斜が最小限のビット・エラー・レートとするために独自に最適化できるように、装置を最適化できることが望ましい。
【００３８】
本発明の同調自在の格子は、分散と分散傾斜とを独自に制御できる方法を提供する。位置に関して逆に変動する第１の膜は、同調自在のレベルの分散を呈することができる。同調自在の非線形チャープを呈する１つ又は複数の更なる膜が分散傾斜の同調を可能にする。
【００３９】
【発明の効果】
前述の実施例は、発明の原理のアプリケーションを表示できる多くの可能性のある特殊な実施例のごく一部を示していることを理解すべきである。種々の及び他の変更事例が、本発明の趣旨と範囲を逸脱せずに当業者は容易に考案できる。
【図面の簡単な説明】
本発明の本質と長所と種々の更なる特徴は、添付の図面を参照しながら図示する実施例を検討すると更に十分に理解できるものと思われる。
【図１Ａ】調整自在の光学的離間プロファイルを有する典型的な導波管格子装置の概略的な長さ方向と軸方向の断面図である。
【図１Ｂ】調整自在の光学的離間プロファイルを有する典型的な導波管格子装置の概略的な長さ方向と軸方向の断面図である。
【図２】図１Ａと１Ｂの装置における抵抗膜コーティングの抵抗プロファイルの概略的なグラフを示す図である。
【図３Ａ】調整自在の光学的離間プロファイルを有する導波管格子の第２の実施例の略図である。
【図３Ｂ】調整自在の光学的離間プロファイルを有する導波管格子の第２の実施例の略図である。
【図４Ａ】図３Ａと図３Ｂの装置が呈する温度プロファイルのグラフを示す図である。
【図４Ｂ】図３Ａと図３Ｂの装置が呈する温度プロファイルのグラフを示す図である。
【図４Ｃ】図３Ａと図３Ｂの装置が呈する温度プロファイルのグラフを示す図である。
【図４Ｄ】図３Ａと図３Ｂの装置が呈する温度プロファイルのグラフを示す図である。
【図５】同調自在の位相シフト・ファイバ格子を示す図である。
【図６Ａ】図５の装置に適した一般的な反射スペクトルのグラフを示す図である。
【図６Ｂ】図５の装置に適した一般的な反射スペクトルのグラフを示す図である。
【図７】同調自在の超構造格子を示す図である。
【図８Ａ】図７の装置の一般的な反射スペクトルを示すである。
【図８Ｂ】図７の装置の一般的な反射スペクトルを示すである。
【図８Ｃ】図７の装置の一般的な反射スペクトルを示すである。
【図９】本発明の装置の好ましいアプリケーションを理解する際に有用な光学的ネットワークの一部の略図である。
【符号の説明】
７  導波管格子装置
８  光導波管
９  クラッディング
１０  コア
１１  光学的格子
１２  屈折率の摂動
１３  多層ヒーター
１４  抵抗膜
１５  絶縁層
【図１Ａ】
0003712950.tif 000002
【図１Ｂ】
0003712950.tif 000003
【図２】
0003712950.tif 000004
【図３Ａ】
0003712950.tif 000005
【図３Ｂ】
0003712950.tif 000006
【図４Ａ】
0003712950.tif 000007
【図４Ｂ】
0003712950.tif 000008
【図４Ｃ】
0003712950.tif 000009
【図４Ｄ】
0003712950.tif 000010
【図５】
0003712950.tif 000011
【図６Ａ】
0003712950.tif 000012
【図６Ｂ】
0003712950.tif 000013
【図７】
0003712950.tif 000014
【図８Ａ】
0003712950.tif 000015
【図８Ｂ】
0003712950.tif 000016
【図８Ｃ】
0003712950.tif 000017
【図９】
0003712950.tif 000018